(57)【要約】      （修正有）【課題】より集魚効果を高めることができる集魚装置を提供する。【解決手段】釣り糸に取付可能に設けられた回転体１２を有している。回転体１２は、外面に、光を反射する反射部２７と、釣り糸を引いたときの引っ張り方向に対して平行または斜交するよう設けられた水受け羽２８とを有している。回転体１２は、外に凸の曲面または微小平面の集合体から成る反射側面を有し、反射部２７は、反射側面に複数の光反射材を接着または混合して形成されている。【選択図】図１
0003154168.tif 000002
【実用新案登録請求の範囲】
【請求項１】
釣り糸に取付可能に設けられた回転体を有し、前記回転体は外面に、光を反射する反射部と、前記釣り糸を引いたときの引っ張り方向に対して平行または斜交するよう設けられた水受け羽とを有することを、特徴とする集魚装置。
【請求項２】
前記回転体は外に凸の曲面または微小平面の集合体から成る反射側面を有し、
前記反射部は前記反射側面に複数の光反射材を接着または混合して形成されていることを、
特徴とする請求項１記載の集魚装置。
【請求項３】
錘から成り、おもり部を有し、
前記回転体は、前記釣り糸および前記おもり部に対して回転可能に設けられていることを、
特徴とする請求項１または２記載の集魚装置。
【考案の詳細な説明】
【技術分野】
【０００１】
本考案は、集魚装置に関する。
【背景技術】
【０００２】
海釣り等においては、錘や仕掛けにいかに集魚効果を高める工夫を施すかにより、釣果に差が出ることが多い。このため、従来、固定された錘や仕掛け、ルアー等の本体に、反射シートなどを貼り付けたり混ぜ込んで成型したりして、光の反射により魚の注目を集め、集魚効果を高めるものがあった（例えば、特許文献１乃至５参照）。
【先行技術文献】
【特許文献】
【０００３】
【特許文献１】特開２００６−１９１８２１号公報
【特許文献２】特開２００６−８７３２０号公報
【特許文献３】特開２００５−３３３８９０号公報
【特許文献４】特開２００２−９５３９６号公報
【特許文献５】特開平５−２８４８８６号公報
【考案の概要】
【考案が解決しようとする課題】
【０００４】
特許文献１乃至５に記載のような従来の集魚装置は、一旦水中に入ると、光の反射がワンパターンになりやすい。光の反射がワンパターンになると魚の注目度が低下するため、期待したほどの集魚効果が得られなくなるという課題があった。
【０００５】
本考案は、このような課題に着目してなされたもので、より集魚効果を高めることができる集魚装置を提供することを目的とする。
【課題を解決するための手段】
【０００６】
本考案に係る集魚装置は、釣り糸に取付可能に設けられた回転体を有し、前記回転体は外面に、光を反射する反射部と、前記釣り糸を引いたときの引っ張り方向に対して平行または斜交するよう設けられた水受け羽とを有することを、特徴とする。
【０００７】
本考案に係る集魚装置は、回転体を釣り糸に取り付けて使用される。回転体の外面に光を反射する反射部を有しているため、光の反射により魚の注目を集め、集魚効果を高めることができる。さらに、水受け羽が、釣り糸を引いたときの引っ張り方向に対して平行または斜交するよう設けられているため、潮汐流などの水の流れを受けやすく、水の流れを受けたときに回転体を回転させることができる。回転体が回転することにより、反射部からの光の反射パターンが変化するため、一旦水中に入った後でも、魚の注目を集め続けることができ、より集魚効果を高めることができる。このように、本考案に係る集魚装置は、潮汐流などのいわゆる自然力を利用して回転体を回転させることができるため、魚の注目度を高めて釣果を向上させることができる。
【０００８】
水受け羽が、釣り糸を引いたときの引っ張り方向に対して斜交している場合には、潮汐流などの水の流れがないときであっても、釣り糸を引くことにより、水受け羽が水流を受けるため、回転体を回転させることができる。このため、水の流れがないときであっても、魚の注目を集めることができ、集魚効果を高めることができる。
【０００９】
反射部は、回転体の材料に蓄光材や蛍光材、反射材などを混入して形成されていてもよく、回転体の外面に蓄光材や蛍光材、反射材などが接着、塗布、半埋め込みされて形成されていてもよい。反射部は、集魚効果を高めるため、回転体が回転するとき、ほぼ全方位に光を反射可能に形成されていることが好ましい。回転体は、丸型、錐型、円筒型、風車型、十字形など、いかなる形状であってもよい。水受け羽は、筋状、羽状、螺旋筋状または突起状など、回転体に効率よく回転力を与えることができる形状であれば、いかなる形状であってもよい。
【００１０】
本考案に係る集魚装置で、前記回転体は外に凸の曲面または微小平面の集合体から成る反射側面を有し、前記反射部は前記反射側面に複数の光反射材を接着または混合して形成されていることが好ましい。この場合、反射部で反射した光を、様々な方位に反射させることができ、より広い範囲にいる魚にアピールすることができる。このため、魚の注目を集めやすく、集魚効果を高めることができる。
【００１１】
本考案に係る集魚装置は、サルカン、うき、錘またはルアーから成ることが好ましい。また、錘から成る場合、おもり部を有し、前記回転体は、前記釣り糸および前記おもり部に対して回転可能に設けられていてもよい。
【考案の効果】
【００１２】
本考案によれば、より集魚効果を高めることができる集魚装置を提供することができる。
【図面の簡単な説明】
【００１３】
【図１】本考案の第１の実施の形態の集魚装置を示す（ａ）正面図、（ｂ）縦断面図である。
【図２】本考案の第１の実施の形態の集魚装置を示す（ａ）縦断面図、（ｂ）Ａ端面図、（ｃ）Ｂ端面図である。
【図３】本考案の第１の実施の形態の集魚装置の（ａ）第１の変形例を示す平面図、（ｂ）正面図、（ｃ）第２の変形例を示す平面図、（ｄ）正面図である。
【図４】本考案の第２の実施の形態の集魚装置を示す（ａ）正面図、（ｂ）使用状態図、（ｃ）変形例の正面図である。
【図５】本考案の第３の実施の形態の集魚装置を示す（ａ）正面図、（ｂ）使用状態図である。
【考案を実施するための形態】
【００１４】
以下、図面に基づき本考案の実施の形態について説明する。
図１乃至図３は、本考案の第１の実施の形態の集魚装置を示している。
図１および図２に示すように、集魚装置１０は、釣り用の錘から成り、おもり部１１と回転体１２とを有している。
【００１５】
図１および図２に示すように、おもり部１１は、半球状、または円柱の片面に半球が形成された形状を成している。おもり部１１は、球面の反対側の平坦面の中央に、小さい径で半球上に突出した突出部２１を有している。おもり部１１は、鉄製の丸鋼を切削加工して形成され、表面が金メッキ仕上げされている。
【００１６】
図１および図２に示すように、回転体１２は、外殻２２と中心管２３と４枚の骨格板２４と支持ピン２５とを有している。外殻２２は、プラスチック製で、内部が空洞であり、円錐の側面が外側に向かって凸状に形成された形状を成しているが、内部は空洞でなくてもよい。中心管２３は、外殻２２の頂点から底部近くまで伸びて、外殻２２の中心線に沿って設けられている。各骨格板２４は、プラスチック製で、外殻２２の中心線に沿って、外殻２２の頂点から底部まで、中心管２３の一端から他端まで伸びて、外殻２２と中心管２３とを接続するよう設けられている。図２（ｂ）に示すように、各骨格板２４は、断面が中心管２３を中心とした十字型になるよう設けられている。各骨格板２４は、外殻２２の底部側が頂部側に向かって凸の円弧状に形成されている。外殻２２、中心管２３および各骨格板２４は、一体成形されている。支持ピン２５は、環付きボルトから成り、外殻２２の頂点側から、ビーズパッキン２６ａを介して中心管２３に挿入されている。支持ピン２５は、中心管２３の外殻２２の頂点側で、釣り糸を取り付ける環部２５ａが突出し、中心管２３の外殻２２の底部側でネジ部２５ｂが突出している。
【００１７】
また、回転体１２は、外殻２２に、光を反射する反射部２７と、複数の水受け羽２８とを有している。反射部２７は、外殻２２の表面に複数の光反射材を接着したり、外殻２２全体に複数の光反射材を混合したりして形成されている。光反射材は、光反射板から成っても、反射材チップから成ってもよい。反射材チップの場合、ジルコニアやラインストーンなどの粒子またはホログラムチップなどから成ることが好ましい。各水受け羽２８は、外殻２２から外側に向かって突出し、外殻２２の頂点から底部に向かって螺旋筋状に設けられている。各水受け羽２８は、環部２５ａに取り付けられた釣り糸を引いたときの引っ張り方向に対して、斜交するように設けられている。なお、図２（ｃ）に示す具体的な一例では、外殻２２は外側薄膜２２ａと内側薄膜２２ｂとを貼り合わせて形成され、反射部２７は外側薄膜２２ａと内側薄膜２２ｂとの間に光反射材を挟んで貼り付けて形成されている。また、水受け羽２８は、図１に示す具体的な一例では６〜８枚、図２に示す具体的な一例では４枚から成っている。
【００１８】
図１および図２に示すように、回転体１２は、おもり部１１の突出部２１の側に取り付けられている。回転体１２は、おもり部１１の突出部２１の中心に、ビーズパッキン２６ｂを介して支持ピン２５のネジ部２５ｂをねじ込んで固定されている。このとき、回転体１２は、各骨格板２４の底部側の形状が、所定の間隔をあけて、おもり部１１の突出部２１の外形に沿うようになっている。これにより、回転体１２は、環部２５ａに取り付けた釣り糸およびおもり部１１に対して回転可能になっている。また、集魚装置１０は、図１に示す具体的な一例では水滴型、図２に示す具体的な一例では紡錘型の形状を成している。集魚装置１０は、おもり部１１の重さを変えることにより、様々な重さのものを形成可能である。
【００１９】
次に、作用について説明する。
集魚装置１０は、環部２５ａに釣り糸を取り付けて使用される。回転体１２の外面に光を反射する反射部２７を有しているため、光の反射により魚の注目を集め、集魚効果を高めることができる。また、反射部２７で反射した光を、下方向以外のほぼ全方位に反射させることができるため、下方向以外の方位にいる魚にアピールして、より集魚効果を高めることができる。さらに、水受け羽２８が、釣り糸を引いたときの引っ張り方向に対して斜交するよう設けられているため、潮汐流などの自然の水の流れを受けやすく、水の流れを受けたときに回転体１２を回転させることができる。また、潮汐流などの水の流れがないときであっても、釣り糸を引くことにより、水受け羽２８が水流を受けるため、回転体１２を回転させることができる。このように、水の流れの有無に関わらず回転体１２を回転させることができ、反射部２７からの光の反射パターンが変化するため、一旦水中に入った後でも、魚の注目を集め続けることができ、より集魚効果を高めることができる。
【００２０】
なお、図３（ａ）および（ｂ）に示すように、集魚装置１０は、外殻２２がほぼ円錐形状の外形を有していてもよい。また、図３（ｃ）および（ｄ）に示すように、各水受け羽２８が、釣り糸を引いたときの引っ張り方向に対して平行になるよう、外殻２２の頂点から底部に向かって真っ直ぐに設けられていてもよい。この場合、釣り糸を引いたときには、回転体１２が回転しないが、潮汐流などの自然力を受けて回転体１２を回転させることができる。また、回転体１２は、ポリプロピレンや塩ビなどの樹脂製、ゴム製、ビニール製などであってもよい。回転体１２は、浮力を極力抑えることができるよう、比重が１に近いものであってもよい。反射部２７の光反射材は、例えば、アルミニウム製や金属製である。各水受け羽２８は、光を発光可能に、表面に蛍光または蓄光の素材を有していてもよい。
【００２１】
図４は、本考案の第２の実施の形態の集魚装置を示している。
図４に示すように、集魚装置３０は、サルカンから成り、回転体３２を有している。
【００２２】
図４に示すように、回転体３２は、ほぼ球状を成し、外面が微小平面の集合体から成っている。回転体３２は、中心を通る貫通孔４３を有し、貫通孔４３に挿入された回転ピン４５を有している。回転ピン４５は、両端に釣り糸１を取り付けるための環部４５ａを有し、その環部４５ａが貫通孔４３の両側から突出している。回転ピン４５は、両側の環部４５ａが、それぞれ独立して回転するようになっている。
【００２３】
また、図４（ａ）に示すように、回転体３２は、光を反射する反射部４７と、４枚の水受け羽４８とを有している。反射部４７は、回転体３２の外面の微小平面に複数の光反射材を接着したり、外面全体に複数の光反射材を混合したりして形成されている。各水受け羽４８は、回転体３２の外面から外側に向かって突出し、貫通孔４３の一端から他端まで、回転体３２の大円に沿って筋状に設けられている。各水受け羽４８は、貫通孔４３を中心として９０度の間隔で設けられている。各水受け羽４８は、各環部４５ａに取り付けられた釣り糸１を引いたときの引っ張り方向に対して、平行に設けられている。
【００２４】
次に、作用について説明する。
図４（ｂ）に示すように、集魚装置３０は、各環部４５ａに釣り糸１を取り付けて使用される。回転体３２の外面に光を反射する反射部４７を有しているため、光の反射により魚の注目を集め、集魚効果を高めることができる。また、反射部４７で反射した光を、ミラーボールのように、ほぼ全方位に反射させることができるため、あらゆる方位にいる魚にアピールして、より集魚効果を高めることができる。さらに、水受け羽４８が、釣り糸１を引いたときの引っ張り方向に対して平行に設けられているため、潮汐流などの自然の水の流れを受けやすく、水の流れを受けたときに回転体３２を回転させることができる。回転体３２が回転することにより、反射部４７からの光の反射パターンが変化するため、一旦水中に入った後でも、魚の注目を集め続けることができ、より集魚効果を高めることができる。なお、図４（ｂ）に示す具体的な一例では、集魚装置３０は、カワハギ、マダイ、ハナダイ、イサキ、フグ等を釣るときに使用されると効果的である。
【００２５】
なお、図４（ｃ）に示すように、集魚装置３０は、さらに潮汐流などの水の流れを受けやすくするために、各水受け羽４８の水を受ける面の面積が大きくなるよう形成されていてもよい。また、各水受け羽４８が、釣り糸１を引いたときの引っ張り方向に対して斜交するよう、螺旋筋状に設けられていてもよい。この場合、潮汐流などの水の流れがないときであっても、釣り糸１を引くことにより、水受け羽４８が水流を受けるため、回転体３２を回転させることができる。さらに、回転体３２は、内部が空洞であってもよく、外形が楕円形状、立方体形状、三角錐形状、円錐形状などであってもよい。
【００２６】
図５は、本考案の第３の実施の形態の集魚装置を示している。
図５に示すように、集魚装置５０は、ルアーから成り、回転体５２を有している。
【００２７】
図５（ａ）に示すように、回転体５２は、細長い回転楕円体形状を成している。回転体５２は、両端を結ぶ中心に沿って環付きピン６５が挿入され、両端に釣り糸１を取り付けるための環部６５ａが突出している。回転体５２は、光を反射する反射部６７と、８枚の水受け羽６８とを有している。反射部６７は、回転体５２の外面に複数の光反射材を接着したり、外面全体に複数の光反射材を混合したりして形成されている。各水受け羽６８は、回転体５２の外面から外側に向かって突出し、回転体５２の両端から中心付近まで、それぞれ４枚ずつ真っ直ぐの筋状に設けられている。各水受け羽６８は、各環部６５ａに取り付けられた釣り糸１を引いたときの引っ張り方向に対して、斜交するように設けられている。各水受け羽６８は、回転体５２の両端を結ぶ中心線を中心として９０度の間隔で設けられている。
【００２８】
次に、作用について説明する。
図５（ｂ）に示すように、集魚装置５０は、各環部６５ａに釣り糸１を取り付けて使用される。回転体５２の外面に光を反射する反射部６７を有しているため、光の反射により魚の注目を集め、集魚効果を高めることができる。また、反射部６７で反射した光を、ミラーボールのように、ほぼ全方位に反射させることができるため、あらゆる方位にいる魚にアピールして、より集魚効果を高めることができる。さらに、水受け羽６８が、釣り糸１を引いたときの引っ張り方向に対して斜交するよう設けられているため、潮汐流などの自然の水の流れを受けやすく、水の流れを受けたときに回転体５２を回転させることができる。また、潮汐流などの水の流れがないときであっても、釣り糸１を引くことにより、水受け羽６８が水流を受けるため、回転体５２を回転させることができる。このように、水の流れの有無に関わらず回転体５２を回転させることができ、反射部６７からの光の反射パターンが変化するため、一旦水中に入った後でも、魚の注目を集め続けることができ、より集魚効果を高めることができる。なお、図５（ｂ）に示す具体的な一例では、集魚装置５０は、カレイやキスなどの底魚類を釣るときに使用されると効果的である。
【符号の説明】
【００２９】
１  釣り糸
１０  集魚装置
１１  おもり部
１２  回転体
２１  突出部
２２  外殻
２３  中心管
２４  骨格板
２５  支持ピン
２６ａ，２６ｂ  ビーズパッキン
２７  反射部
２８  水受け羽
【図１】
0003154168.tif 000003
【図２】
0003154168.tif 000004
【図３】
0003154168.tif 000005
【図４】
0003154168.tif 000006
【図５】
0003154168.tif 000007